(57)【要約】【課題】筐体にすき間などを設けなくても、リモコン装置などから送信される無線信号に応じてランプの点灯状態を制御することが可能な照明器具を提供する。【解決手段】照明器具１００は、内部の空間を形成する筐体１１２を有する。筐体１１２の外部には、ランプ電極が接続される接点部１１０ａが設けられる。筐体１１２の内部には、ＬＥＤランプ１０１へ電力を供給する電源モジュール１１４と、アンテナ１２２によって受信される無線信号に基づいて、電源モジュール１１４による電力の供給を制御する制御モジュール１１５とが設けられる。本体配線１１６ａは、接点部１１０ａと電源モジュール１１４とに電気的に接続されており、アンテナ１２２との距離が無線信号の半波長以下である部分を含んで配置される。【選択図】図２
2016076405.tif 000002
【特許請求の範囲】
【請求項１】
内部の空間を形成する筐体と、
前記筐体の外部に設けられ、ランプの電極が接続される接点部と、
前記筐体の内部に設けられ、前記ランプへ電力を供給する電源モジュールと、
前記筐体の内部に設けられ、アンテナを有し、当該アンテナによって受信される無線信号に基づいて、前記電源モジュールによる電力の供給を制御する制御モジュールと、
前記接点部と前記電源モジュールとに電気的に接続されており、前記アンテナとの距離が無線信号の半波長以下である部分を含んで配置された配線とを備える照明器具。
【請求項２】
前記制御モジュールは、予め定められた情報を生成し、当該情報を含む無線信号を前記アンテナから出力する
請求項１に記載の照明器具。
【請求項３】
内部の空間を形成する筐体と、
前記筐体の外部に設けられ、ランプの電極が接続される接点部と、
前記筐体の内部に設けられ、前記ランプへ電力を供給する電源モジュールと、
前記電源モジュールによる電力の供給を制御する制御モジュールと、
前記接点部と前記電源モジュールとに電気的に接続されるとともに、前記制御モジュールに電気的に接続される配線とを備える照明器具。
【請求項４】
前記制御モジュールは、前記配線を介して受信される信号に基づいて、前記電源モジュールによる電力の供給を制御する
請求項３に記載の照明器具。
【請求項５】
前記制御モジュールは、予め定められた情報を生成し、当該情報を含む信号を前記配線へ出力する
請求項３又は４に記載の照明器具。
【請求項６】
前記ランプは、予め定められた形状の配線を有するＬＥＤランプである
請求項１から５のいずれか１項に記載の照明器具。
【請求項７】
前記配線は、スペーサを介在させて前記筐体の内部に固定される
請求項１から６のいずれか１項に記載の照明器具。
【発明の詳細な説明】
【技術分野】
【０００１】
本発明は、照明器具に関する。
【背景技術】
【０００２】
照明器具には、リモコン装置などから送信される無線信号を受信し、その無線信号に応じてランプの点灯状態を制御するものがある。
【０００３】
例えば、特許文献１に記載の照明器具は、蛍光ランプの点灯状態を制御する無線信号を受信する受信部及び無線信号に応じた制御信号を出力する制御部を備えた制御装置と、その制御信号に応じて蛍光ランプを付勢する高周波点灯装置と、内部に制御装置及び高周波点灯装置を配置する照明器具本体とを備える。この照明器具本体は、無線信号の波長の１／４以上かつ蛍光ランプの点灯周波数の波長の１／４以下のすき間を有し、そのすき間から無線信号が伝播するように構成される。
【０００４】
特許文献１に記載の照明器具によれば、照明器具本体内に無線信号が伝播するすき間を形成しているので、照明器具本体内にアンテナなどの受信部を配設することができる。
【先行技術文献】
【特許文献】
【０００５】
【特許文献１】特開２００６−１０８０４３号公報
【発明の概要】
【発明が解決しようとする課題】
【０００６】
しかしながら、特許文献１に記載の照明器具では、すき間が照明器具本体（筐体）に設けられるので、埃などがすき間から筐体の内部に入り込む可能性がある。埃などは、筐体内に配置される制御装置、高周波点灯装置などの故障の原因となることがある。そのため、筐体には内部に埃などが、できる限り入り込まないように構成されることが望ましい。
【０００７】
また、照明器具本体の下面には、照射の効率を高めるために、反射率が高い反射面が形成される。反射面にすき間が設けられると、すき間に応じた領域で光を反射することがほとんどできないため、反射面で反射される光量が低減し、その結果、照射の効率が低下するおそれがある。
【０００８】
本発明は、上述の事情に鑑みてなされたもので、筐体にすき間などを設けなくても、リモコン装置などから送信される無線信号に応じてランプの点灯状態を制御することが可能な照明器具を提供することを目的とする。
【課題を解決するための手段】
【０００９】
上記目的を達成するため、本発明の第１の観点に係る照明器具は、
内部の空間を形成する筐体と、
前記筐体の外部に設けられ、ランプの電極が接続される接点部と、
前記筐体の内部に設けられ、前記ランプへ電力を供給する電源モジュールと、
前記筐体の内部に設けられ、アンテナを有し、当該アンテナによって受信される無線信号に基づいて、前記電源モジュールによる電力の供給を制御する制御モジュールと、
前記接点部と前記電源モジュールとに電気的に接続されており、前記アンテナとの距離が無線信号の半波長以下である部分を含んで配置された配線とを備える。
【００１０】
上記目的を達成するため、本発明の第２の観点に係る照明器具は、
内部の空間を形成する筐体と、
前記筐体の外部に設けられ、ランプの電極が接続される接点部と、
前記筐体の内部に設けられ、前記ランプへ電力を供給する電源モジュールと、
前記電源モジュールによる電力の供給を制御する制御モジュールと、
前記接点部と前記電源モジュールとに電気的に接続されるとともに、前記制御モジュールに電気的に接続される配線とを備える。
【発明の効果】
【００１１】
本発明によれば、配線は、筐体の外部に設けられる接点部と、筐体の内部に設けられる電源モジュールとに電気的に接続されている。また、配線は、制御モジュールが有するアンテナとの距離が無線信号の半波長以下である部分を含んで配置されるか、或いは、制御モジュールにも電気的に接続される。
【００１２】
接点部は、筐体の外部に設けられるので、配線の少なくとも一部が、筐体の外部に位置することになる。そのため、筐体の外部に位置する配線が、アンテナとして機能することによって、外部のリモコン装置などから送信された無線信号を安定して受信することができる。そして、制御モジュールは、リモコン装置などから送信された無線信号に応じた信号を、配線を介して無線又は有線で受信し、その受信した信号に基づいて、ランプへの電力の供給を制御することができる。
【００１３】
従って、筐体にすき間などを設けなくても、リモコン装置などから送信される無線信号に応じてランプの点灯状態を制御することが可能になる。
【図面の簡単な説明】
【００１４】
【図１】本発明の一実施の形態に係る照明システムの構成を示す図である。
【図２】一実施の形態に係る照明器具の配線図である。
【図３】一実施の形態に係る照明器具を、照明器具本体の側部を切り欠いた状態で示す側面図である。
【図４】一実施の形態に係る照明器具の構成を示すブロック図である。
【図５】変形例１に係る照明器具の配線図である。
【図６】変形例１に係る照明器具を、照明器具本体の側部を切り欠いた状態で示す側面図である。
【図７】変形例１に係る照明器具の構成を示すブロック図である。
【発明を実施するための形態】
【００１５】
以下、本発明の実施の形態について、図面を参照しつつ説明する。全図を通じて同一の要素には同一の符号を付す。また、図１、２及び６に示すような前後左右上下の方向を用いて説明するが、これらの方向を示す用語は、説明のために用いるのであって、本出願に係る発明を限定する趣旨ではない。
【００１６】
実施の形態．
本発明の一実施の形態に係る照明器具１００は、図１に示すように、着脱可能に取り付けられるＬＥＤ（Ｌｉｇｈｔ  Ｅｍｉｔｔｉｎｇ  Ｄｉｏｄｅ）ランプ１０１の点灯状態を制御する装置であって、ユーザが操作するリモコン装置１０２とともに照明システム１０３を構成する。点灯状態は、点灯、消灯、点灯時の照度、ＬＥＤランプ１０１が多色で発光できる場合には点灯時の光の色などである。
【００１７】
なお、ＬＥＤランプ１０１は、電力を消費して発光する光源として照明器具１００に取り付けられるランプの一例である。ランプは、照明器具１００に取り付けられると、照明器具１００から供給される電力によって点灯状態が制御されるものであればよく、例えば蛍光ランプなどであってもよい。また、照明器具１００に取り付けられるＬＥＤランプ１０１の形状は、直管型に限られず、例えば環型など適宜選択されてよい。照明器具１００に取り付けられるＬＥＤランプ１０１の数は、１つ以上であれば幾つであってもよく、２つに限られない。
【００１８】
リモコン装置１０２は、ユーザにより操作される操作部を有する。操作部は、例えばボタンなどから構成される。ユーザが操作部を操作すると、リモコン装置１０２は、ユーザの操作に応じた無線信号を送信する。リモコン装置１０２から送信される無線信号（以下、「リモコン信号」と称する。）は、例えば、点灯状態を変更する指示、照明器具１００がタイマ機能を備える場合にはタイマ機能のための設定時間などを含む。
【００１９】
タイマ機能とは、照明器具１００がリモコン信号を受信した時からそのリモコン信号に含まれる設定時間が経過した時などに、ＬＥＤランプ１０１の点灯状態を変更する機能である。
【００２０】
また、リモコン装置１０２は、照明器具１００から送信される無線信号を受信し、受信した無線信号に含まれる情報を液晶表示パネルなどの表示部に表示する。照明器具１００から送信される無線信号に含まれる情報は、例えば、ＬＥＤランプ１０１の点灯状態、リモコン信号に応じたタイマ機能の設定が完了したこと、タイマ機能での設定時間などを示す。
【００２１】
なお、照明器具１００が無線信号を送信する機能及びリモコン装置１０２が照明器具１００から送信された無線信号を受信する機能は、照明システム１０３に備えられなくてもよい。
【００２２】
照明器具１００は、上述のような各種の指示、設定などの各種の情報を含むリモコン信号をリモコン装置１０２から受信すると、そのリモコン信号に応じてＬＥＤランプ１０１の点灯状態を制御する。これによって、ユーザは、リモコン装置１０２を操作することで、ＬＥＤランプ１０１の点灯状態を変更することができる。
【００２３】
照明器具１００は、図１に示すように、前後に並設される２つの直管型のＬＥＤランプ１０１と、各ＬＥＤランプ１０１が着脱可能に取り付けられる２組のランプソケット１０４ａ，１０４ｂと、ＬＥＤランプ１０１の長さに応じた間隔で各組のランプソケット１０４ａ，１０４ｂが取り付けられる照明器具本体１０５とを備える。
【００２４】
ＬＥＤランプ１０１の各々は、照明器具１００の配線図である図２に示すように、内部に配置される基板であるランプ基板１０６と、各端部に２つずつ設けられて外部に露出する電極であるランプ電極１０７ａ，１０７ｂと、各端部の２つのランプ電極１０７ａ，１０７ｂの間を１対１で対応付けて電気的に接続する２本の配線であるランプ配線１０８ａ，１０８ｂと、ランプ配線１０８に電気的に並列接続される複数のチップＬＥＤ１０９とを有する。
【００２５】
ランプ電極１０７ａとランプ配線１０８ａとは、それぞれ、基準電位（ＧＮＤ）に接続されるＧＮＤ用の電極と配線であり、ランプ基板１０６に配設される。基準電位は、例えば接地電位である。ランプ電極１０７ｂとランプ配線１０８ｂとは、それぞれ、照明器具本体１０５によって予め定められた電圧（例えば、直流２４Ｖ）が印加される印加用の電極と配線とであり、ランプ基板１０６に配設される。
【００２６】
複数のチップＬＥＤ１０９は、ＬＥＤランプ１０１の長さ方向に並べてランプ基板１０６に設けられている。複数のチップＬＥＤ１０９は、ランプ配線１０８に並列に接続されるので、ランプ配線１０８ａ，１０８ｂは、ＬＥＤランプ１０１の管内全長にわたって配置される。
【００２７】
ランプソケット１０４ａ，１０４ｂの各組は、照明器具本体１０５の外部に左右に対向して設けられており、その間に配置されるＬＥＤランプ１０１を保持することができる。
【００２８】
詳細には例えば、ランプソケット１０４ａ，１０４ｂの各々は、例えば、樹脂などを材料として作られる部材であって、ＬＥＤランプ１０１に接続される２つの接点部１１０ａ，１１０ｂ及び２本のソケット配線１１１ａ，１１１ｂとを有する。
【００２９】
２つの接点部１１０ａ，１１０ｂは、例えば金属製の部材であって、ＬＥＤランプ１０１が取り付けられた場合に、ランプ電極１０７ａ，１０７ｂのそれぞれに当接することで、電気的に接続される。２つのソケット配線１１１は、それぞれ、一端が接点部１１０ａ，１１０ｂに電気的に接続されており、他端が照明器具本体１０５に電気的に接続される。
【００３０】
このような構成を備えるランプソケット１０４ａ，１０４ｂを照明器具本体１０５に取り付けることによって、図２に示すように、ランプ電極１０７ａ，１０７ｂの各々が照明器具本体１０５に電気的に接続される。
【００３１】
本実施の形態に係る照明器具１００は、図１及び図３に示すように、内部の空間を形成する筐体１１２と、筐体１１２の内部に設けられるランプソケット取付板１１３、電源モジュール１１４、制御モジュール１１５及び本体配線１１６とを備える。なお、図３は、筐体１１２の左側部を切り欠いた状態で照明器具１００を左方から見た側面図を示す。
【００３２】
筐体１１２は、例えば金属を主たる材料として作られる部材であって、図３に示すように、照明器具１００の設置箇所に固定されるフレーム１１７と、左右に長手方向を有する側方視略Ｖ字状の部材であってフレーム１１７の下方を覆う反射板１１８と、反射板１１８の左右の各開口を塞ぐ側壁部１１９とを有する。このような筐体１１２によって、フレーム１１７と反射板１１８と側壁部１１９とで囲われた内部の空間が形成される。
【００３３】
フレーム１１７は、例えばネジ（不図示）などで設置箇所に固定される。設置箇所は、適宜選択されてよいが、典型的には図３に示すように、天井１２０の予め定められた箇所である。照明器具１００は、天井１２０などの設置箇所にすき間なく取り付けられることが望ましい。これによって、筐体１１２の内部に埃などが入り込むことを防ぐことができる。
【００３４】
反射板１１８の下面は、光を反射する反射面である。反射面には、光の反射率を高めるために、白色の塗料が塗布されたり、金属のメッキ加工が施されたりしてもよい。反射面は、照明器具１００に取り付けられたＬＥＤランプ１０１と対向するので、ＬＥＤランプ１０１が点灯時に放射する光を反射することができる。
【００３５】
反射板１１８には、図３に示すように、ランプソケット１０４ａ，１０４ｂが挿設される貫通孔が、予め定められた位置に設けられている。
【００３６】
側壁部１１９は、例えば、溶接、嵌め合わせ、接着などによって反射板１１８の側端部に固定され、これによって、反射板１１８と一体化されている。
【００３７】
ランプソケット取付板１１３は、図３に示すように、ランプソケット１０４ａ，１０４ｂの各々を取り付けるための板状の部材である。詳細には例えば、ランプソケット取付板１１３には、貫通孔に挿設されたランプソケット１０４ａ，１０４ｂの各々が図示しないネジなどで固定される。これによって、ランプソケット１０４ａ，１０４ｂの各々が照明器具本体１０５に取り付けられる。
【００３８】
なお、ランプソケット取付板１１３にランプソケット１０４ａ，１０４ｂの各々を固定する方法は、適宜選択されてよい。例えば、ランプソケット１０４ａ，１０４ｂの各々が、照明器具本体１０５に係止するための係止爪を有し、ランプソケット取付板１１３が、係止爪を係止させるための穴を有してもよい。
【００３９】
電源モジュール１１４は、制御モジュール１１５から取得する制御信号に応じてＬＥＤランプ１０１へ電力を供給する。
【００４０】
詳細には例えば、電源モジュール１１４は、図２に示すように、１００Ｖの交流電力を供給する商用電源などの外部電源１２１から電力を取り込むために外部電源１２１に接続される電力取込部と、制御モジュール１１５から制御信号を取得するための制御用端子と、ＧＮＤに接続するための３つのＧＮＤ用端子と、制御モジュール１１５が動作のための電力を供給するために制御モジュール１１５に接続され、例えば５Ｖの直流電圧を出力する制御用印加端子と、ＬＥＤランプ１０１へ電力を供給するために本体配線１１６ｂに接続され、例えば２４Ｖの直流電圧を出力するランプ用印加端子とを備える。
【００４１】
３つのＧＮＤ用端子は、それぞれ、図２に示すように、制御モジュール１１５、本体配線１１６ａ、本体配線１１６ｃに接続される。
【００４２】
制御モジュール１１５は、無線信号を受信するためのアンテナ１２２を有する。制御モジュール１１５は、アンテナ１２２によって無線信号が受信されると、その無線信号に応じた制御信号を出力する。これによって、制御モジュール１１５は、アンテナ１２２によって受信される無線信号に基づいて、電源モジュール１１４による電力の供給を制御する。
【００４３】
また、制御モジュール１１５は、例えば上述のようにリモコン装置１０２の表示部に表示させる情報など、リモコン装置１０２へ送信するための予め定められた情報を生成する。そして、制御モジュール１１５は、生成した情報（以下、「生成情報」と称する。）を含む無線信号をアンテナ１２２から出力する。
【００４４】
制御モジュール１１５は、物理的には、アンテナ１２２に加えて、例えば、アンテナ１２２で無線信号を受信するための増幅回路、アンテナ１２２から無線信号を送信するための発振回路、予め組み込まれたソフトウェアプログラムを実行するためのマイコン、メモリなどから構成されるとよい。
【００４５】
本体配線１１６は、電源モジュール１１４とソケット配線１１１ａ，１１１ｂとを電気的に接続する配線である。
【００４６】
詳細には例えば、本体配線１１６は、例えば、図２に示すように、３本の本体配線１１６ａ，１１６ｂ，１１６ｃから構成される。
【００４７】
本体配線１１６ａ及び１１６ｃの一端は、図２に示すように、電源モジュール１１４のＧＮＤ端子に接続される。本体配線１１６ｂの一端は、例えば、図２に示すように、電源モジュール１１４の出力端子に接続される。
【００４８】
本体配線１１６ａ，１１６ｂ，１１６ｃの他端の各々は、ランプソケット１０４ａ，１０４ｂがランプソケット取付板１１３に取り付けられると、ソケット配線１１１ａ，１１１ｂのいずれかに電気的に接続される。例えば図２に示すように、本体配線１１６ａ及び１１６ｂは、アンテナ１２２の近傍に配置され、それぞれが、ＬＥＤランプ１０１の一方の端部に設けられたランプ電極１０７ａ及び１０７ｂに電気的に接続される。本体配線１１６ｃは、ＬＥＤランプ１０１の他方の端部に設けられたランプ電極１０７ａに電気的に接続される。
【００４９】
特に、本体配線１１６ａは、アンテナ１２２との距離Ｌがリモコン信号の半波長以下である部分を含んで配置される。半波長以下とは、例えばリモコン信号が２．４ＧＨｚの信号の場合、１２ｃｍ以下となる。
【００５０】
本体配線１１６ａは、筐体１１２の内面に設けられたスペーサ１２３に、例えば粘着テープなどによって固定される。スペーサ１２３は、例えば、樹脂などを材料として作られる部材であって、筐体１１２の内面に例えば接着される。なお、本体配線１１６ａ，１１６ｂ，１１６ｃは、筐体１１２の内部で固定されていればよく、筐体１１２の内面に固定されてもよい。
【００５１】
なお、本体配線１１６ａ，１１６ｂ，１１６ｃの間の距離は、適宜選択されてよく、本体配線１１６ａ，１１６ｂ，１１６ｃは、例えば、互いに重なり合うように配置されてもよく、互いに離間して配置されてもよい。
【００５２】
ここから、図４を参照して、照明器具１００の機能的な構成とその動作を説明する。ここでは、ＬＥＤランプ１０１の動作状態としての点灯と消灯とを切り替える例により説明する。
【００５３】
ＧＮＤ用配線１２４は、ＧＮＤに接続するために、接点部１１０と電源モジュール１１４のＧＮＤ用端子とを接続する配線である。本実施の形態では、ＧＮＤ用配線１２４は、ソケット配線１１１ａ，１１１ｂ及び本体配線１１６ａ，１１６ｃから構成される。
【００５４】
照明器具本体１０５は、金属を主たる材料とする筐体１１２により下方が覆われている。そのため、リモコン信号は、筐体１１２によって減衰し、筐体１１２の内部に設けられたアンテナ１２２によって直接受信されることはほとんどない。
【００５５】
本実施の形態では、接点部１１０は、筐体１１２の外部に設けられるので、ソケット配線１１１ａ，１１１ｂは、少なくとも一部が筐体１１２の外部に配置される。そのため、ユーザが操作することによってリモコン装置１０２からリモコン信号が送信されると、ソケット配線１１１ａ，１１１ｂのうち、筐体１１２の外部に配置された部分が、アンテナとして機能し、そのリモコン信号を受信する。
【００５６】
例えば、リモコン信号がソケット配線１１１ａによって受信されると、その信号と同じ情報を含む電気信号がソケット配線１１１ａ及び本体配線１１６ａに流れる。具体例を挙げると、ＬＥＤランプ１０１を「点灯」させる指示を含むリモコン信号がソケット配線１１１ａによって受信されると、「点灯」させる指示を含む電気信号がソケット配線１１１ａ及び本体配線１１６ａに流れる。ＬＥＤランプ１０１を「消灯」させる指示を含むリモコン信号がソケット配線１１１ａによって受信されると、「消灯」させる指示を含む電気信号がソケット配線１１１ａ及び本体配線１１６ａに流れる。
【００５７】
また、本実施の形態では、ランプ配線１０８ａ，１０８ｂは、ＬＥＤランプ１０１の管内全長にわたる長い直線状の形状を有する配線であるため、リモコン信号を受信するためのアンテナとして機能することができる。そのため、リモコン信号は、ランプ配線１０８で受信されてもよく、この場合、受信されたリモコン信号と同じ情報を含む電気信号が、ソケット配線１１１ａを介して本体配線１１６ａへ流れる。
【００５８】
なお、例えば、筐体１１２の外部に露出する配線が、追加的に設けられて、ＧＮＤ用配線１２４及び後述するランプ印加用配線１２７のいずれかに接続されてもよい。また、ランプ配線１０８ａとランプ配線１０８ｂとは別に、追加的な配線がＬＥＤランプ１０１に設けられ、ランプ配線１０８ａ，１０８ｂのいずれか（本実施の形態の例ではランプ配線１０８ａ）に接続されていてもよい。このような追加的な配線は、リモコン信号を受信し、リモコン装置１０２へ無線信号を送信するためのアンテナとして機能する。このような追加的な配線は、無線信号の送受信し易い形状で設けられることが好ましい。
【００５９】
ここで、リモコン信号と同じ情報を含む電気信号が流れる本体配線１１６ａは、上述のように、スペーサ１２３を介在させて筐体１１２の内部に固定される。本実施の形態のように筐体１１２が金属製である場合、本体配線１１６ａを流れる間に、電気信号が減衰したり、電気信号にノイズが入ったりすることがある。本実施の形態のように、スペーサ１２３を設けることで、本体配線１１６ａを筐体１１２から離間して配置することができ、それによって、電気信号に含まれる情報を減衰させることなく、正確に伝達させることができる。その結果、後述するように照明器具１００から出力される無線信号の、通信における電波強度を向上させることが可能になる。
【００６０】
制御モジュール１１５のアンテナ１２２は、本体配線１１６ａとの距離Ｌがリモコン信号の半波長以下である部分を含むので、アンテナ１２２と本体配線１１６ａとの間で電磁誘導が生じる。これによって、アンテナ１２２は、本体配線１１６ａを流れる電気信号と同じ情報を含む無線信号を受信する。
【００６１】
制御モジュール１１５は、アンテナ１２２によって無線信号が受信されると、その無線信号を復調して、その無線信号に応じた制御信号を生成する。制御モジュール１１５は、制御信号を電源モジュール１１４へ出力する。
【００６２】
電源モジュール１１４は、図４に示すように、制御モジュール１１５から出力される制御信号を取得し、取得した制御信号に応じてランプ用印加端子から電力を出力するか否かを切り替えるスイッチ１２５と、制御用印加端子とランプ用印加端子とのそれぞれから供給する電力に、外部電源１２１から供給される電力を変換する電源回路１２６とを備える。このような構成を備えることによって、電源モジュール１１４は、取得した制御信号に従って、変換した電力をＬＥＤランプ１０１へ供給する。
【００６３】
例えば、制御信号が「切」を示す場合、ランプ用印加端子から電力が出力されないように切り替える。制御信号が「入」を示す場合、スイッチ１２５は、ランプ用印加端子から電力が出力されるように切り替える。これによって、電源回路１２６により変換された電力をランプ用印加端子から出力するか否かが切り替えられる。
【００６４】
なお、リモコン信号に応じて照度、光の色などを変更する場合、スイッチ１２５は、変更する点灯状態に応じた電力がランプ用印加端子から出力されるように切り替えるとよい。
【００６５】
ランプ印加用配線１２７は、接点部１１０と電源モジュール１１４のランプ用印加端子とを接続する配線であって、ソケット配線１１１ｂ及び本体配線１１６ｂから構成される。
【００６６】
ここで、接点部１１０ｂは、上述のようにランプ電極１０７ｂに当接することで電気的に接続される。そのため、電源モジュール１１４のランプ用印加端子から電力が出力されると、その電力は、ランプ印加用配線１２７を介してＬＥＤランプ１０１に供給される。これにより、ＬＥＤランプ１０１が点灯する。
【００６７】
また、電源モジュール１１４のランプ用印加端子から電力が出力されなければ、ＬＥＤランプ１０１に供給される電力が断たれる。これにより、ＬＥＤランプ１０１が消灯する。
【００６８】
次に、照明器具１００からリモコン装置１０２へ無線信号を送信する場合の照明器具１００の動作について説明する。
【００６９】
制御モジュール１１５は、例えば、ＬＥＤランプ１０１の点灯状態の変更時、照明器具１００での設定の完了時などの予め定められた時に、変更内容、設定内容などを含む生成情報を生成する。制御モジュール１１５は、生成情報を含む無線信号をアンテナ１２２から出力する。
【００７０】
照明器具本体１０５は、金属を主たる材料とする筐体１１２により下方が覆われているので、リモコン信号は、筐体１１２によって減衰し、アンテナ１２２から出力された無線信号は、直接的には筐体１１２の外部へほとんど伝わらない。
【００７１】
本実施の形態では、本体配線１１６ａは、アンテナ１２２との距離Ｌがリモコン信号の半波長以下である部分を含むので、アンテナ１２２と本体配線１１６ａとの間で電磁誘導が生じる。これによって、本体配線１１６ａからソケット配線１１１ａへ、アンテナ１２２から出力された無線信号と同じ生成情報を含む電気信号が流れる。
【００７２】
ソケット配線１１１ａは、上述のように、少なくとも一部が筐体１１２の外部に配置され、その外部に配置された部分が、アンテナとして機能し、電気信号と同じ生成情報を含む無線信号を出力する。
【００７３】
また、本実施の形態では、ランプ配線１０８ａは、ＬＥＤランプ１０１の管内全長にわたる長い直線状の形状を有する配線であるため、リモコン信号を送信するためのアンテナとして機能することができる。そのため、生成情報を含む電気信号が、本体配線１１６ａからソケット配線１１１ａを介してランプ配線１０８ａへ流れ、その生成情報を含む無線信号がランプ配線１０８ａから出力されてもよい。
【００７４】
なお、例えば、上述のように、ＧＮＤ用配線１２４及びランプ印加用配線１２７のいずれか（本実施の形態の例では例えばソケット配線１１１ａ）に接続されるか、又は、ランプ配線１０８ａ，１０８ｂのいずれか（本実施の形態の例ではランプ配線１０８ａ）に接続される、追加的な配線が、設けられてもよい。このような追加的な配線から、生成情報を含む無線信号を出力されてもよい。
【００７５】
このように、生成情報を含む無線信号が、筐体１１２の外部から出力されると、無線信号の伝達範囲にあるリモコン装置１０２によって受信される。
【００７６】
本実施の形態によれば、ソケット配線１１１ａのうち筐体１１２の外部に露出した部分又はランプ配線１０８ａがアンテナとして機能する。すなわち、筐体１１２にリモコン信号を受信し、又は、生成情報を含む無線信号を送信するための貫通孔を設けなくても、ソケット配線１１１ａのうち筐体１１２の外部に露出した部分又はランプ配線１０８ａによって安定的に、リモコン信号を受信し、又は、生成情報を含む無線信号を送信することができる。
【００７７】
リモコン信号が受信された場合、そして、制御モジュール１１５は、リモコン装置１０２などから送信された無線信号に応じた信号を、本体配線１１６ａを介して無線で受信し、その受信した信号に基づいて、ランプへの電力の供給を制御することができる。
【００７８】
従って、筐体にすき間などを設けなくても、リモコン装置などから送信される無線信号に応じてランプの点灯状態を制御することが可能になる。
【００７９】
また、生成情報を含む無線信号が送信された場合、リモコン装置１０２で無線信号を受信され、その無線信号に含まれる生成情報をリモコン装置１０２で表示するなど、生成情報に応じた処理をリモコン装置１０２が行うことができる。
【００８０】
従って、筐体にすき間などを設けなくても、照明器具１００から送信される無線信号に応じてリモコン装置１０２を制御することが可能になる。
【００８１】
以上、本発明の一実施の形態について説明した。本発明は、実施の形態に限定されるものではなく、次のように変形されてもよい。また、本発明は、実施の形態及び変形例を適宜組み合わせた形態、それに種々の変更を加えた形態を含む。
【００８２】
例えば、実施の形態では、本体配線１１６のうち、アンテナ１２２との距離Ｌがリモコン信号の半波長以下である部分を含んで配置されるものが、本体配線１１６ａである例により説明した。しかし、アンテナ１２２との距離Ｌがリモコン信号の半波長以下である部分を含んで配置される本体配線１１６は、少なくとも１つあればよく、本体配線１１６ａ，１１６ｂ，１１６ｃのいずれであってもよい。これによっても、実施の形態と同様の効果を奏する。
【００８３】
例えば、実施の形態では、ソケット配線１１１ａのうち、筐体１１２の外部に配置された部分又はランプ配線１０８ａが、アンテナとして機能する例により説明した。しかし、例えば、ソケット配線１１１ａのうち、筐体１１２の外部に配置された部分とランプ配線１０８ａとのいずれか一方の形状が無線信号の送受信に適さない場合もあり得る。このような場合、ソケット配線１１１ａのうち、筐体１１２の外部に配置された部分とランプ配線１０８ａとの他方のみが、アンテナとして機能してもよい。これによっても、実施の形態と同様の効果を奏する。
【００８４】
変形例１．
実施の形態では、本体配線１１６ａと制御モジュール１１５とが、アンテナ１２２を介して無線で通信する例を説明した。しかし、本体配線１１６ａと制御モジュール２１５とは、有線で通信してもよい。
【００８５】
本変形例に係る照明器具２００の配線図、側面図及びブロック図を図５〜７に示す。
【００８６】
図５及び図６に示すように、本変形例に係る照明器具２００では、本体配線２１６ａが、さらに、制御モジュール２１５に電気的に接続される。その他の照明器具２００の構成は、本実施の形態に係る制御モジュール２１５がアンテナ１２２を備えないことを除いて、実施の形態に係る照明器具１００と概ね同様である。
【００８７】
照明器具２００がリモコン信号を受信する場合、実施の形態に係る照明器具１００がリモコン信号を受信する場合と同様に、ソケット配線１１１ａのうち、筐体１１２の外部に配置された部分又はランプ配線１０８ａがアンテナとして機能することによって、リモコン信号を受信する。
【００８８】
そして、制御モジュール２１５は、受信されたリモコン信号と同じ情報を含む電気信号を本体配線２１６ａを介して受信する。制御モジュール２１５は、本体配線２１６ａを介して受信される電気信号に基づいて、実施の形態と同様に、電源モジュール１１４による電力の供給を制御する。
【００８９】
照明器具２００が無線信号をリモコン装置１０２へ送信する場合、制御モジュール２１５は、実施の形態と同様に、予め定められた生成情報を生成する。制御モジュール２１５は、生成情報を含む電気信号を本体配線２１６ａへ出力する。制御モジュール２１５から出力された電気信号は、本体配線２１６ａからソケット配線１１１ａへ流れる。
【００９０】
照明器具２００が無線信号を送信する場合、実施の形態に係る照明器具１００が無線信号を送信する場合と同様に、ソケット配線１１１ａのうち、筐体１１２の外部に配置された部分又はランプ配線１０８ａがアンテナとして機能する。そのため、生成情報を含む無線信号が、実施の形態と同様に、筐体１１２の外部に配置された部分又はランプ配線１０８ａから出力される。
【００９１】
本変形例によれば、実施の形態と同様に、ソケット配線１１１ａのうち筐体１１２の外部に露出した部分又はランプ配線１０８ａがアンテナとして機能するので、筐体１１２にリモコン信号を受信し、又は、生成情報を含む無線信号を送信するためのすき間などを設けなくても、安定的に、リモコン信号を受信し、又は、生成情報を含む無線信号を送信することができる。従って、実施の形態と同様の効果を奏する。
【００９２】
変形例２．
例えば、本体配線１１６ｂ又は本体配線１１６ｃが、変形例１に係る本体配線２１６ａと同様に、制御モジュール２１５に電気的に接続されてもよい。これによっても、変形例１と同様の効果を奏する。
【００９３】
変形例３．
実施の形態では、照明システム１０３を構成する照明器具１００が１台である場合を例により説明した。しかし、照明システム１０３を構成する照明器具１００は、２台以上であってもよい。
【００９４】
この場合、照明システム１０３を構成する照明器具１００のうちのいずれか１台が、リモコン信号を受信すると、そのリモコン信号を、照明システム１０３を構成する他の照明器具１００へ送信する。また、他の照明器具１００は、照明器具１００からリモコン信号を受信すると、必要に応じて、そのリモコン信号を、照明システム１０３を構成する別の照明器具１００へ送信する。このようなリモコン信号の送受信は、必要に応じて繰り返されてもよい。
【００９５】
また、照明器具１００の間では、実施の形態で説明した照明器具１００とリモコン装置１０２との間と同様の方法で、リモコン信号が送受信されるとよい。例えば、一方の照明器具１００が、リモコン信号を受信すると、無線信号を送信する場合と同様に動作し、受信したリモコン信号と同じ情報を含む無線信号（すなわち、リモコン信号）を、他方の照明器具１００へ送信する。他方の照明器具１００は、リモコン装置１０２からリモコン信号を受信する場合と同様に動作し、それによって、一方の照明器具１００から送信されたリモコン信号を受信する。
【００９６】
照明器具１００の間でリモコン信号が送受信されることによって、照明システム１０３を構成する複数の照明器具１００のうちの一部しかリモコン信号を受信できない場合であっても、照明システム１０３を構成する照明器具１００のすべてにリモコン信号を伝送することができる。
【００９７】
従って、照明システム１０３を構成する照明器具１００のすべてについて、ＬＥＤランプ１０１の点灯状態をリモコン信号に応じて一括で制御することが可能になる。
【符号の説明】
【００９８】
１００，２００  照明器具、１０１  ＬＥＤランプ、１０２  リモコン装置、１０３  照明システム、１０４ａ，１０４ｂ  ランプソケット、１０５  照明器具本体、１０６  ランプ基板、１０７ａ，１０７ｂ  ランプ電極、１０８ａ，１０８ｂ  ランプ配線、１０９  チップＬＥＤ、１１０ａ，１１０ｂ  接点部、１１１ａ，１１１ｂ  ソケット配線、１１２  筐体、１１３  ランプソケット取付板、１１４  電源モジュール、１１５，２１５  制御モジュール、１１６，１１６ａ，１１６ｂ，１１６ｃ，２１６ａ，２１６ｂ，２１６ｃ  本体配線、１１７  フレーム、１１８  反射板、１１９  側壁部、１２０  天井、１２１  外部電源、１２２  アンテナ、１２３  スペーサ、１２４  ＧＮＤ用配線、１２５  スイッチ、１２６  電源回路、１２７  ランプ印加用配線。
【図１】
2016076405.tif 000003
【図２】
2016076405.tif 000004
【図３】
2016076405.tif 000005
【図４】
2016076405.tif 000006
【図５】
2016076405.tif 000007
【図６】
2016076405.tif 000008
【図７】
2016076405.tif 000009